(57)【特許請求の範囲】
【請求項１】
記録媒体に記録を行う記録手段と、
装置外部からの電力を所定の電圧に変換して供給する電力供給手段と、
前記装置外部から前記電力供給手段への電流経路を開閉する第１の開閉手段と、
前記第１の開閉手段と並列に設置され、前記装置外部から前記電力供給手段への電流経路を開閉する第２の開閉手段と、
前記第１の開閉手段が開状態となったことを検知する検知手段と、
前記記録手段による記録中に前記検知手段が前記第１の開閉手段の開状態を検知したとき、ページ途中であっても記録を一時停止時点から再開可能に一時停止する制御部と、
前記記録手段による一時停止中に、当該記録を中止するか、当該記録中のページの最後まで記録するか、当該記録に係るジョブの最終ページまで記録するかのいずれかの選択を受け付けるための受付手段と、
を有することを特徴とするインクジェット記録装置。
【請求項２】
請求項１に記載されたインクジェット記録装置において、
前記一時停止中に前記ページ途中での記録中止が選択されるか、または何の選択も行われないことを条件に、前記制御部は、当該記録を中止した旨を前記記録手段に記録させて記録動作を終了することを特徴とするインクジェット記録装置。
【請求項３】
請求項１に記載されたインクジェット記録装置において、
前記記録中に前記第１の開閉手段の開状態を検知したとき、記録途中の画像についてページ途中で記録を中止するか否かの選択を予め設定する設定手段を有することを特徴とするインクジェット記録装置。
【請求項４】
請求項３に記載されたインクジェット記録装置において、
前記制御部は、前記一時停止から所定の時間内において、前記予め設定する設定手段の設定を無効にして、前記設定の変更を可能にすることを特徴とするインクジェット記録装置。
【請求項５】
請求項１に記載されたインクジェット記録装置において、
前記記録手段による一時停止中に、ページ途中で記録を中止するか、当該記録中のページの最後まで記録するか、当該記録に係るジョブの最終ページまで記録するかのいずれかの表示を行う表示手段を備え、
前記表示手段は視覚的に又は音声により聴覚的に前記表示を行うことを特徴とするインクジェット記録装置。
【請求項６】
請求項５に記載されたインクジェット記録装置において、
前記表示手段は、前記表示が実行され、ページ途中での記録中止が選択されるか、または何の選択も行われないことを条件に、当該記録を途中で中止した旨を視覚的に又は音声により聴覚的に表示を行うことを特徴とするインクジェット記録装置。
【請求項７】
請求項１に記載されたインクジェット記録装置において、
前記インクジェット記録装置はノズルよりインク滴を吐出して記録媒体に記録を行う記録ヘッドと、記録ヘッドを保護する保護手段を備え、
前記記録手段による記録中に前記検知手段が前記第１の開閉手段の開状態を検知したとき、前記制御部は、予め定めたメンテナンス動作のみ継続した後、前記保護手段により記録ヘッドを保護状態に設定し、前記第２の開閉手段をオフにして商用電源からの電流経路を開くことを特徴とするインクジェット記録装置。
【請求項８】
請求項１ないし７のいずれかに記載されたインクジェット記録装置において、
前記第２の開閉手段は通常オフ状態であり、前記制御部は記録動作中およびメンテナンス動作中のみオン状態にすることを特徴とするインクジェット記録装置。
【請求項９】
請求項１ないし７のいずれかに記載されたインクジェット記録装置において、
前記インクジェット記録装置は前記記録媒体を搬送し、ヘッドより前記記録媒体へインクを吐出し、前記ヘッドを移動させることで記録を行い、
前記制御部は、前記一時停止において、前記インクの吐出を停止し、前記記録媒体の搬送を停止し、前記ヘッドの移動を停止すること
を特徴とするインクジェット記録装置。
【請求項１０】
記録媒体に記録を行う記録手段と、
装置外部からの電力を所定の電圧に変換して供給する電力供給手段と、
前記装置外部から前記電力供給手段への電流経路を開閉する第１の開閉手段と、
前記第１の開閉手段と並列に設置され、前記装置外部から前記電力供給手段への電流経路を開閉する第２の開閉手段と、
前記第１の開閉手段が開状態となったことを検知する検知手段と、
前記記録手段による記録中に前記検知手段が前記第１の開閉手段の開状態を検知したとき、ページ途中であっても記録を一時停止時点から再開可能に一時停止する制御部と、を有するインクジェット記録装置と、
前記記録手段による一時停止中に、当該記録を中止するか、当該記録中のページの最後まで記録するか、当該記録に係るジョブの最終ページまで記録するかのいずれかの選択を受け付けるための受付手段と、
を有することを特徴とするインクジェット記録システム。
【請求項１１】
記録媒体に記録を行う記録手段と、
装置外部からの電力を所定の電圧に変換して供給する電力供給手段と、前記装置外部から前記電力供給手段への電流経路を開閉する第１の開閉手段と、前記第１の開閉手段と並列に設置され、前記装置外部から前記電力供給手段への電流経路を開閉する第２の開閉手段と、を備えたインクジェット記録装置の電源遮断時における記録制御方法であって、
前記第１の開閉手段が開状態となったことを検知する検知工程と、
前記記録手段による記録中に前記検知工程において前記第１の開閉手段の開状態を検知したとき、ページ途中であっても記録を一時停止時点から再開可能に一時停止する記録停止工程と、
前記記録手段による一時停止中において、当該記録を中止するか、当該記録中のページの最後まで記録するか、当該記録に係るジョブの最終ページまで記録するかのいずれかの選択を受け付ける工程と、
を有することを特徴とするインクジェット記録装置の電源遮断時における記録制御方法。
【発明の詳細な説明】
【技術分野】
【０００１】
本発明はインクジェット記録装置、インクジェット記録システム、インクジェット記録装置の電源遮断時における記録制御方法に関する。
【背景技術】
【０００２】
インクジェット記録装置において、記録中に何らかの原因で電源がオフされたとしても、記録終了までは電源供給を保持する目的で、電源供給を少なくとも記録終了までは保持する電源供給保持手段を設けたものは既に知られている（特許文献１）。
【０００３】
この従来のインクジェット記録装置は、以下で説明する本発明のインクジェット記録装置とは電源スイッチが操作されたことを検出し、記録中であれば電源供給を保持する点では似ている点がある。
しかし、このインクジェット記録装置では、記録動作中に何らかの原因で電源スイッチがオフ状態になっても、電源供給を少なくとも記録終了まで保持してしまうため、操作者がすぐに記録を停止して電源の供給を止めたくても止めることができなかったり、或いは記録を用紙の後端まで完了させたい場合とすぐに記録を停止したい場合とで、その選択ができないという問題があり、また、複数枚の記録出力時も全ての記録が完了するまでは電源供給が止まらないから、その間電力を余計に消費してしまうという問題もある。
【発明の概要】
【発明が解決しようとする課題】
【０００４】
本発明は、従来の前記問題に鑑みてなされたものであって、その目的は、インクジェット記録装置において、記録実行中に第１の開閉手段（電源スイッチ）が開放（オフ）されたときでも、記録を即時に停止するか、当該記録中のページの最後まで記録するか、当該記録に係るジョブの最終ページまで記録するかのいずれかの選択ができるようにすることである。
【課題を解決するための手段】
【０００５】
本発明は、記録媒体に記録を行う記録手段と、装置外部からの電力を所定の電圧に変換して供給する電力供給手段と、前記装置外部から前記電力供給手段への電流経路を開閉する第１の開閉手段と、前記第１の開閉手段と並列に設置され、前記装置外部から前記電力供給手段への電流経路を開閉する第２の開閉手段と、前記第１の開閉手段が開状態となったことを検知する検知手段と、前記記録手段による記録中に前記検知手段が前記第１の開閉手段の開状態を検知したとき、ページ途中であっても記録を一時停止時点から再開可能に一時停止する制御部と、前記記録手段による一時停止中に、当該記録を中止するか、当該記録中のページの最後まで記録するか、当該記録に係るジョブの最終ページまで記録するかのいずれかの選択を受け付けるための受付手段と、を有することを特徴とするインクジェット記録装置である。
【発明の効果】
【０００６】
本発明によれば、記録動作中に第１の開閉手段がオフされたとき、画像記録を中断して、その中断中に当該記録を中止するか、当該記録中のページの最後まで記録するか、当該記録に係るジョブの最終ページまで記録するかのいずれかの選択を行うことができる。そのため、従来のように複数枚の記録出力時に全ての記録が完了するまでは電源供給が止まらないということはなく、消費電力等を削減することができる。
【図面の簡単な説明】
【０００７】
【図１】図１Ａ，１Ｂはインクジェット記録装置の全体構成について説明する図である。
【図２】インクジェット記録装置のシステム構成について説明する図である。
【図３】商用電源からの電力供給のための回路図である。
【図４】維持機構を模式的に示した図である。
【図５】記録中にメインスイッチがオフされた場合のシステム制御部による制御手順を示すフローチャ−トである。
【図６】記録中にメインスイッチがオフされた場合の表示部の可視表示例である。
【図７】記録中にメインスイッチがオフされ、記録動作を途中で中止した場合の表示部の可視表示例である。
【発明を実施するための形態】
【０００８】
次に、本発明のインクジェット記録装置の一実施形態であるインクジェット記録装置について図面を参照して説明する。
図１Ａは、本実施形態に係るインクジェット記録装置の全体構成について説明する図である。
このインクジェット記録装置１００は、記録手段である記録ヘッドを主走査方向に往復駆動させて記録を行ういわゆるシリアル型インクジェット記録装置である。本インクジェット記録装置１００は、図１に示すように、保持用の本体フレーム７０を備えている。インクジェット記録装置１００の内部にはガイドロッド１及び幅ガイドロッド２が掛け渡され、これらのガイドロッド１及び副ガイドロッド２に、キャリッジ５が矢印Ａ方向（主走査方向）に動作可能に保持される。
【０００９】
キャリッジ５は、タイミングベルト１０と接続しており、主走査モータ９と駆動プーリ２８によってタイミングベルト１０を駆動させることで主走査方向Ａにおいて往復移動する。タイミングベルト１０には制圧コロ１２によって張力が掛けられており、弛むことなくキャリッジ５を駆動させることができる。
印字媒体（例えば、記録用紙）１５０はキャリッジ５が往復移動する下側を矢印Ｂ方向（副走査方向）へ間欠的に搬送され、キャリッジ５に搭載された記録ヘッドからインクを吐出し、所定の画像を形成する。
【００１０】
インクジェット記録装置１００においては、インクを供給するカートリッジ６０と記録ヘッドをクリーニングする維持機構１０８が備えられている。ここで記録ヘッドの保護手段である維持機構１０８には、記録ヘッドが非動作状態のときに、記録ヘッドの吐出口形成面を覆うキャップが備えられ、記録ヘッドの保護を行う。
即ち、インクジェット記録装置１００では、記録ヘッドを長時間動作させない場合に、インク溶剤の蒸発に伴う増粘等によってインクが吐出しなかったり、記録に適さない状態になったりする。そこで、これを防止するため、キャップで記録ヘッドの吐出口形成面を覆っている。キャップは、一般にインクジェット記録装置内の記録ヘッドの待機位置（ホームポジション）に配置されており、動作直前に覆った吐出口形成面から隔離するようにモータ等によって駆動制御される。
【００１１】
キャリッジ５内には、エンコーダセンサが配置されており、主走査方向Ａに掛け渡されたエンコーダシートを連続的に読み取ることで、主走査方向位置を検知しながら駆動する。
インクジェット記録装置１００は、後述する操作部１０４、表示部１０５、音声出力部１０６を備えている。
なお、操作部１０４、表示部１０５、音声出力部１０６は本実施形態のインクジェット記録装置と別体に設けてもよい。図１Ｂはその実施形態である。この場合は、インクジェット記録装置と操作部１０４、表示部１０５及び音声出力部１０６とでインクジェット記録システムを構成する。
【００１２】
図２は、インクジェット記録装置のシステム構成について説明する図である。
図２において、システム制御部１０１は、ＣＰＵ等から構成され、インクジェット記録装置が動作するための基本プログラムに基づきインクジェット記録装置各部を制御して所定の動作を実行する。
ＲＯＭ１０２は、インクジェット記録装置が動作するための基本プログラムが格納されている。
ＲＡＭ１０３は、インクジェット記録装置に固有な各種の情報を記憶し、記録中に第１の開閉手段であるメインスイッチがオフされたときに記録動作を中止するか継続するかの設定内容を記憶する。
なお、この設定のため、システム制御部１０１は操作者の設定要求を受け付け、その設定内容をＲＡＭ１０３に記憶させる処理を行うが、その一連の処理を行う手段をここでは設定手段という。
【００１３】
操作部１０４は、各種操作キーを備え操作者が各種操作を行う。
表示部１０５は、システム制御部１０１の制御によりインクジェット記録装置の操作方法やインクジェット記録装置の動作状態を表示し、操作者へのメッセージを表示する。
音声出力部１０６は、システム制御部１０１の制御により操作者へのメッセージを音声出力する。
なお、表示部１０５及び音声出力部１０６を総称してここで便宜上「表示手段」という。即ち、表示手段というときは、表示部１０５若しくは音声出力部１０６、又はその両者を指す。
記録ヘッド１０７は、インクを吐出して画像情報を印字媒体に印字出力する。
維持機構１０８は、記録ヘッドのメンテナンスのためのクリーニングを行う。
第２の開閉手段である第２スイッチ１０９は、システム制御部１０１の制御により切り替えを行うリレーで、第１の開閉手段である手動のメインスイッチ１２０のオフ時に、商用電源からの電流経路の開閉を行う。また、システム制御部１０１は、記録ヘッド１０７がホームポジション（ＨＰ）から離れることで記録動作を開始すると、第２スイッチ１０９をオンする。
検出手段である主走査位置検出部１１０は、記録ヘッド１０７の主走査上の位置を検出する。
検知手段であるメインスイッチ検出部１１１は、手動で切り替えられるメインスイッチのオン・オフ状態を検出する。
【００１４】
図３は、商用電源からの電力供給のための回路図である。
図中、第１の開閉手段であるメインスイッチ１２０は、操作者が手動でインクジェット記録装置への電力供給のオン・オフを行うためのスイッチである。メインスイッチ１２０の下側スイッチ１２０ｂは商用電源からの電力をオン・オフするもので、メインスイッチ１２０の上側スイッチ１２０ａはオン・オフ状態をシステム制御部１０１へ伝えるためのものでる。
図２のメインスイッチ検出部１１１は、この上側スイッチ１２０ａのオン・オフを検出するシステム制御部１０１側部分である。下側スイッチ１２０ｂは一次側回路で、上側スイッチ１２０ａは二次側回路になり、必要な距離をもって絶縁されている。
第２の開閉手段である第２スイッチ１０９は、システム制御部１０１の制御により切り替えを行うリレーで、メインスイッチ１２０のオフ時に、商用電源からの電流経路の開閉を行い、これがオンの間はメインスイッチ１２０の下側スイッチ１２０ｂの開閉如何によらず、商用電源からの電力はオンに維持される。
【００１５】
絶縁トランス１２１は、商用電源から供給された電力を絶縁状態で変圧して、二次側回路へ電力を供給する。整流平滑部１２２は、絶縁トランス１２１で変圧された交流電力をダイオードブリッジにより直流電力に整流し、コンデンサにより平滑する。
ＤＣ−ＤＣコンバータ１２３は、整流平滑部からの電力を使ってインクジェット記録装置各部に必要な電圧Ｖｄｄ、Ｖｃｃ、Ｖａａを作成し、インクジェット記録装置各部へ供給する。
【００１６】
図４は記録ヘッドの保護手段である維持機構１０８を模式的に示した図である。
この維持機構１０８はキャリッジの走査方向一方側の非印字領域に配置されており、図中中央部にある保湿キャップ１０８（１）が、記録ヘッド１０７の非動作時に記録ヘッド１０７のノズル形成面を覆い、記録ヘッド１０７を乾燥から保護する。
維持機構１０８は、キャリッジ内の各色の記録ヘッド１０７にそれぞれ対応した保湿キャップ１０８（１）と、吸引キャップ１０８（２）とを備えている。保湿キャップ１０８（１）は、非記録動作時に各記録ヘッド１０７の吐出口をキャッピングして吐出口を湿潤状態に保っている。
保湿キャップ１０８（１）は維持ＤＣモータ１０８（３）により昇降して、記録ヘッド１０７をキャッピングしたり解除したりする。維持保湿ユニットＨＰ（ホームポジション）検知センサ１０８（４）は、保湿キャップ１０８（１）を含む維持保湿ユニットの位置を検出する。
【００１７】
吸引キャップ１０８（２）は保湿キャップ１０８（１）より印字領域側に設けられており、吸引孔が設けられている。この吸引孔には吸引手段（吸引ポンプ１０８（５））が取り付けられている。吸引キャップ１０８（２）は、吸引手段（吸引ポンプ）１０８（５）で気泡や吐出口に付着したゴミなどをインクとともに吸い出して、吐出不良を改善する機能を有している。
記録ヘッド１０７の吸引動作は吸引ポンプが１０８（５）が作動することにより行われる。吸引キャップ１０８（２）は維持ST（ステッピング）モータ１０８（９）により移動して記録ヘッド１０７に密着する。維持吸引ユニットＨＰ検知センサ１０８（８）は、維持吸引ユニットの位置を検出する。
【００１８】
空吐出受け１０８（６）は、記録開始前までに吐出口のメニスカスを整えて安定した吐出性能を維持するために吐出するインクを受け取るために設けられている。
ワイパ１０８（７）は記録ヘッド１０７の吐出口を有する面に付着したインクを清掃するために設けられている。
これらの維持機構１０８により、記録ヘッド１０７の乾燥を防ぎ、良好なインク吐出状態を維持することができる。
【００１９】
図５は、記録中にメインスイッチ１２０がオフされた場合のシステム制御部１０１による制御手順を示すフローチャ−トである。
初期状態において、第１の開閉手段であるメインスイッチ１２０はオン、第２スイッチ１０９はオフである（Ｓ１０１）。これにより、商用電源からの電力をオンしそれによって記録動作（印字動作）（Ｓ１０２、ＹＥＳ）またはメンテナンス動作（Ｓ１１０、ＹＥＳ）を開始し、記録ヘッド１０７がホームポジション（ＨＰ）から離れると、システム制御部１０１は第２スイッチ１０９をオンする（Ｓ１０３）。これにより、インクジェット記録装置への商用電源からの電力は第２スイッチ１０９からも供給される。そのため、記録ヘッド１０７の動作中に仮にメインスイッチ１２０がオフされても、商用電源からの電力供給は継続される。
【００２０】
次に、記録ヘッド１０７の動作中に、操作者が、例えば記録を中止する等の理由でメインスイッチ１２０をオフすると（Ｓ１０４、ＹＥＳ）、メインスイッチ１２０内の上側スイッチ１２０ａがオフし、それをメインスイッチ検出部１１１が検出して、システム制御部１０１へ伝える。この場合、記録動作中でなく（Ｓ１０５、ＮＯ）、インクジェット記録装置がメンテナンス動作中であれば（Ｓ１０６、ＹＥＳ）、システム制御部１０１は、予め定めた必要なメンテナンス動作のみ継続して行い（Ｓ１０７）、その後、記録ヘッド１０７をホームポジションへ移動させ、記録ヘッド１０７をキャッピングして（Ｓ１０８）、記録ヘッド１０７の吐出口を保護する。なお、記録ヘッド１０７のキャッピング後に、システム制御部１０１は第２スイッチ１０９をオフして（Ｓ１０９）、商用電源からの電流経路を開き、電源オフ状態にして処理を終了する。
ステップＳ１０６において、メンテナンス動作中でなければ、ステップＳ１０８に移行する。
【００２１】
ステップＳ１０４で、メインスイッチ検出部１１１がメインスイッチ１２０のオフを検出したとき（Ｓ１０４、ＹＥＳ）、記録中であれば（Ｓ１０５、ＹＥＳ）、システム制御部１０１は、ページ途中であっても記録を一時停止する（Ｓ１１１）。つまり、インクジェット記録装置では、記録ヘッドの移動、インクの吐出、記録紙の送りの停止を行うことによりページの途中であっても、記録を一時停止することができるため、このような記録制御を行う。ここで、記録中の画像をページ途中で記録を中止するか否かを、音声出力部１０６からの音声表示又は表示部１０５による可視表示により操作者に選択（入力）を促す（Ｓ１１２）。なお、記録を中止するか否かについて予め設定済みである場合であっても、ここで記録を中止するか否かの変更が可能である。
【００２２】
記録継続の入力がなく（Ｓ１１３、ＮＯ）、その状態が所定時間継続したときは（Ｓ１１４、ＹＥＳ）、システム制御部１０１は予めＲＡＭ１０３に設定されている内容を読み出し、その内容が記録継続する設定になっていない、つまり、記録を中止する設定になっているときは（Ｓ１１５、ＮＯ）、印字（記録）動作を再開し記録途中で中止したことを印字（併せて中止した理由を印字してもよい）して記録紙を出力し（Ｓ１１６）、記録ヘッド１０７をホームポジションに移動させ、記録ヘッド１０７をキャッピングして（Ｓ１０８）、記録ヘッド１０７の吐出口を保護する。記録ヘッド１０７のキャッピング後に、システム制御部１０１は第２スイッチ１０９をオフして（Ｓ１０９）、商用電源からの電流経路を開き、電源オフ状態にして処理を終了する。
【００２３】
ステップＳ１１３で、記録継続の入力があったときは（Ｓ１１３、ＹＥＳ）、更に最終ページまで記録するか否かを、音声出力部１０６による音声表示又は表示部１０５による可視表示により表示して操作者に選択（入力）を促す（Ｓ１１７）。
ステップＳ１１４で所定の時間経過後（Ｓ１１４、ＹＥＳ）、システム制御部１０１はＲＡＭ１０３の内容を読み出し、予めＲＡＭ１０３に設定されていた内容が記録継続であった場合（Ｓ１１５、ＹＥＳ）も、同様に、更に最終ページまで記録するか否かを、音声出力部１０６による音声表示または表示部１０５による可視表示により表示して操作者に選択（入力）を促す（Ｓ１１７）。
【００２４】
ステップＳ１１７で「最終ページまで記録する」の入力があったときは（Ｓ１１７、ＹＥＳ）、記録を再開し最終ページまで印字（記録）出力を行い（Ｓ１１９）、記録終了後記録ヘッド１０７をホームポジションに移動させ、記録ヘッド１０７をキャッピングして（Ｓ１０８）、記録ヘッド１０７の吐出口を保護する。
【００２５】
ステップＳ１１７で「最終ページまで記録する」の入力がなければ（Ｓ１１７、ＮＯ）、記録を再開し記録中のページを記録出力した後（Ｓ１１８）、記録ヘッド１０７をホームポジションに移動させ、記録ヘッド１０７をキャッピングして（Ｓ１０８）、記録ヘッド１０７の吐出口を保護する。記録ヘッド１０７のキャッピングを実施した後、システム制御部１０１は第２スイッチ１０９をオフして（Ｓ１０９）、商用電源からの電流経路を閉じ、要求をオフにして処理を終了する。
【００２６】
本実施形態によれば、ステップＳ１１１で記録を一時停止することにより、その記録の停止から所定の時間内において操作者が記録を中止するか継続するかの選択ができる。予め記録中止又は継続が設定されていても、記録一時停止中に記録中止又は継続の変更が可能である。前記システム制御部１０１は、前記録一時停止から所定の時間内において、前記予め設定する手段の設定を無効にして、前記設定の変更を可能にする。
【００２７】
図６、図７は、表示部における可視表示例である。
図６は、記録中にメインスイッチ１２０がオフされた場合の表示部の可視表示例である。
ここでは、選択を促す表示、即ち「メインスイッチがオフになりました。記録を継続しますか？」の表示と共に、選択（入力）を実行するための「はい」、「いいえ」の選択ボタンが表示されている。操作者は、この選択ボタンにより選択（入力）を行う。したがって、この選択ボタンは選択を受け付ける受付手段を構成する。
図７は、記録中にメインスイッチ１２０がオフされ、記録動作を途中で中止した場合の表示部の可視表示例である。
ここでは、「メインスイッチがオフになったため、記録を途中で中止しました。」と表示される。なお、この表示は一例であって、例えば「記録を途中で中止しました。」と中止したことのみを表示してもよいことは勿論である。
【００２８】
以上、本発明の実施形態について説明したが、本実施形態の効果をまとめると次のとおりである。
（１）前記表示にしたがって記録途中の画像についてページ途中での記録中止が選択されるか、または何の選択も行われないとき、システム制御部は画像記録を途中で中止した理由及び中止した旨を記録出力して、記録動作を終了する。それによって、記録がページ途中で中止されたこととその理由を操作者が認識できる。また、その後商用電源がオフになっても、印字出力された紙が残るため、操作者がその場所を離れていても、記録の中止とその理由を認識することができる。
（２）前記記録ヘッドによる記録中に検知手段であるメインスイッチ検出部が前記第１の開閉手段の開状態を検知したとき、記録途中の画像についてページ途中で記録を中止するか否かの選択を予め設定する手段を有するため、予め所望の設定を行うことができ、メインスイッチのオフ時に操作者の入力が不要になるという効果がある。
（３）前記記録ヘッドによる記録動作の停止から所定の時間内において、システム制御部は、前記予め設定する手段の設定を無効にして選択の変更を可能にする。そのため、記録の中止か継続かについて、予め設定されている内容に対し、操作者がその場で希望する設定に変更することができる。
（４）前記表示手段が、視覚的に選択（入力）を促す手段又は音声により聴覚的に選択（入力）を促す手段であるため、記録を中止するか継続するかの選択が行えることを操作者が容易に認識できる。
（５）前記表示にしたがって記録途中の画像についてページ途中での記録中止が選択されるか、または何の選択も行われないとき、記録を途中で中止した理由及び中止した旨を表示又は音声で伝える表示手段を有するため、操作者が記録中止になった理由を認識できるとともに、次回の電源オン時に記録紙ジャム状態になったままになっていることを防ぐことができる。
（６）前記記録ヘッドによる記録中に前記検知手段が前記第１の開閉手段の開状態を検知したとき、システム制御部は予め定めたメンテナンス動作のみ継続した後、前記保護手段により記録ヘッドを保護状態に設定し、前記第２のスイッチをオフにして商用電源からの電流経路を開くため、メインスイッチのオフ後でも、記録ヘッドの保護が実施され、インク吐出性能の劣化を防止したり記録ヘッドの故障を防止したりすることができる。
（７）前記第２のスイッチは通常オフ状態であり、システム制御部は記録動作中およびメンテナンス動作中のみオン状態にするため、消費電力を節減することができる。
なお、以上の説明では、本実施形態の制御はシステム制御部で行うとしているがこれに限定されない。即ち、システム制御部はシステム全体を制御するシステム制御部でなく、専用の制御部として構成してもよい。
【符号の説明】
【００２９】
１・・・ガイドロッド、２・・・副ガイドロッド、５・・・キャリッジ、９・・・主走査モータ、１２・・・制圧コロ、１０・・・タイミングベルト、７０・・・フレーム、１００・・・インクジェット記録装置、１０１・・・システム制御部、１０４・・・操作部、１０５・・・表示部、１０８・・・維持機構、１０９・・・第２スイッチ、１２０・・・メインスイッチ、１２０ａ・・・上側スイッチ（メインスイッチ検出部）、１２０ｂ・・・下側スイッチ、１２１・・・絶縁トランス、１２３・・・ＤＣ―ＤＣコンバータ、１５０・・・印字媒体。
【先行技術文献】
【特許文献】
【００３０】
【特許文献１】特開平６−１６１６１３号公報
【図１】
0005978689.tif 000002
【図２】
0005978689.tif 000003
【図３】
0005978689.tif 000004
【図４】
0005978689.tif 000005
【図５】
0005978689.tif 000006
【図６】
0005978689.tif 000007
【図７】
0005978689.tif 000008